(57)【特許請求の範囲】
【請求項１】
所定枚数の紙葉類を第１の結束材で結束して形成した把が複数個重ねてさらに第２の結束材で結束した束を供給し、当該束の第２の結束材を大帯処理部で切断して形成した紙葉把を処理する前処理装置であって、
前記紙葉把の側端部であって、先端部及び後端部を挟持して搬送上流に位置する１０把受渡部から搬送下流に位置する１０把取込部で示す第１の方向に進退自在に搬送する第１の手段と、
この第１の手段によって前記１０把取込部に搬送されてきた前記紙葉把の底面及び上面から押圧することによって挟持し、前記第１の方向と交差する第２の方向に進退自在に搬送する第２の手段と、
この第２の手段で搬送された前記紙葉把の搬送方向先端からさらに１把ずつ取り出す把切出装置と、
前記第１の手段が前記１０把取込部にある場合は、前記第２の手段によって前記第２の方向に搬送される前記紙葉把の搬送位置を計測する計測手段と、
を、備え、
前記大帯処理部でジャムが発生したとき、前記計測手段によって計測された値が設定値を超えている場合には、当該第２の手段によって搬送される紙葉把をジャム扱いにしないことを特徴とする前処理装置。
【請求項２】
前記第２の手段は、
前記紙葉把の底面から上面に向かって押圧する第１のスライダと、上面から底面に向かって押圧する第２のスライダと、
前記第１のスライダを進退自在に駆動する第１のスライダ駆動手段と、
前記第２のスライダを進退自在に駆動する第２のスライダ駆動手段と、
前記第１のスライダ駆動手段によって移動した前記第１のスライダの位置を計測する第１の計測手段、及び前記第２のスライダ駆動手段によって移動した前記第２のスライダの位置を計測する第２の計測手段と、
前記第１の計測手段及び前記第２の計測手段による計測結果を出力する手段と、
を備えたことを特徴とする請求項１記載の前処理装置。
【請求項３】
前記設定値は、
前記第１のスライダ又は前記第２のスライダと前記第１の手段が前記１０把取込部から前記１０把受渡部に復帰するための復帰動作を行うときに干渉する位置を基準に設定することを特徴とする請求項１又は請求項２記載の前処理装置。
【発明の詳細な説明】
【技術分野】
【０００１】
本発明は、所定枚数の紙葉類を小帯で結束した把を複数個重ねてさらに大帯で結束した束の大帯をカットし、把を切り出す前処理装置に関し、特に、大帯処理部のジャム処理を改善する前処理装置に関する。
【背景技術】
【０００２】
紙葉類処理装置は、束供給部、前処理部及び検査部で構成される。束供給部には、１００枚の紙葉類を小帯で結束した把を１０把重ねたものを大帯でさらに結束して構成した束が供給される。
【０００３】
供給された束はコンベアで搬送され、大帯処理部で大帯が除去され、キャリアによって１０把移動部に搬送される。１０把移動部には、１０把受渡部及び１０把取込部が設けられており、キャリアによって搬送されてきた１０把が１０把受渡部に設けられたトランスファによって受け取られて搬送され、トランスファの搬送方向と直交する方向に搬送するスライダに受け渡され、把切出装置に搬送される。
【０００４】
把切出装置では、スライダによって挟持された１０把から１把ずつ把が切出されて小帯処理部に渡される。
【０００５】
小帯処理部では、搬送される把の小帯を切断、削除してバラの紙葉類（例えば１００枚からなる１００枚紙葉類）にして排出部に排出する。排出部では、上記１００枚紙葉類（バラ把）を積み重ねて検査部に供給する。
【０００６】
検査部では、供給された紙葉類の束の最上面の紙葉類から１枚ずつ取り出して検査する（例えば、特許文献１参照。）。
【特許文献１】特開平９−３０１３３２号公報  （第６−７頁、図１）
【発明の開示】
【発明が解決しようとする課題】
【０００７】
図１１を参照しながら、従来の課題を説明する。例えば、大帯処理部でジャムが発生したとき（Ｓ２０）、トランスファが１０把取込部側に待機しているとき（Ｓ２１）、１０把取込部側に待機しているトランスファを１０把受渡側に戻すため、このトランスファと交差する方向に移動するスライダと干渉するおそれがある。そのため、スライダの搬送を制御する１０把取込部を連れジャムにして、スライダに積載されている把を取ってジャム処理していた（Ｓ２２）。
【０００８】
その結果、大帯処理部のジャム処理の他にも、１０把取込部の媒体も取り、その後に初期化動作が必要になり、操作者の負担が大きいと言う課題があった。
【０００９】
本発明は、上記課題を解決するためになされたもので、大帯処理部でジャムが発生した場合、トランスファの位置とスライダの位置によりスライダがトランスファと干渉しない位置を特定し、１０把取込部の把を取らなくても初期化することのできる前処理装置を提供する。
【課題を解決するための手段】
【００１０】
上記目的を達成するために、本発明の請求項１記載の紙葉類処理装置は、所定枚数の紙葉類を第１の結束材で結束して形成した把が複数個重ねてさらに第２の結束材で結束した束を供給し、当該束の第２の結束材を大帯処理部で切断して形成した紙葉把を処理する前処理装置であって、前記紙葉把の側端部であって、先端部及び後端部を挟持して搬送上流に位置する１０把受渡部から搬送下流に位置する１０把取込部で示す第１の方向に進退自在に搬送する第１の手段と、この第１の手段によって前記１０把取込部に搬送されてきた前記紙葉把の底面及び上面から押圧することによって挟持し、前記第１の方向と交差する第２の方向に進退自在に搬送する第２の手段と、この第２の手段で搬送された前記紙葉把の搬送方向先端からさらに１把ずつ取り出す把切出装置と、前記第１の手段が前記１０把取込部にある場合は、前記第２の手段によって前記第２の方向に搬送される前記紙葉把の搬送位置を計測する計測手段と、を備え、前記大帯処理部でジャムが発生したとき、前記計測手段によって計測された値が設定値を超えている場合には、当該第２の手段によって搬送される紙葉把をジャム扱いにしないことを特徴とする。
【発明の効果】
【００１１】
本発明によれば、大帯処理部でジャムが発生した場合、トランスファの位置とスライダの位置によりスライダがトランスファと干渉しない位置を特定し、１０把取込部の把を取らなくても初期化することができるので、操作性が改善される。
【発明を実施するための最良の形態】
【００１２】
以下、図面を参照して本発明の実施例を説明する。
【実施例１】
【００１３】
図１は、本発明の実施例１に係る前処理部を備えた紙葉類処理装置１の外観図である。
【００１４】
この紙葉類処理装置１は、未検査紙葉類の束を受入れると共に検査済みの紙葉類の束を取り出す束処理機２を備えている。束処理機２に出入される束は、例えば、１００枚重ね合された紙葉類を結束帯としての小帯（第１の結束材）により施封してなる把を１０把集積して大帯（第２の結束材）により十文字結束したものである。
【００１５】
束処理機２は、コンベア４を介して検査機６に接続されている。コンベア４と検査機６との間には、検査機６に投入する束の結束を解除するための前処理部３０が配設されている。
【００１６】
図２は、紙葉類処理装置１の構成を示すブロック図である。図３は、図２で説明した紙葉類処理装置１で処理される紙葉類の流れを説明する図で、（Ａ）、（Ｂ）、などは、各部で処理される束姿又は把姿を示す。紙葉類処理装置１は、束供給部２０、前処理部３０、及び検査部４０から構成されている。
【００１７】
束供給部２０には、束処理機２及びコンベア４が設けられている。束処理機２に供給された束は、コンベア４によって搬送され、束を取り込む束取込装などを備える前処理部３０に供給される。
【００１８】
前処理部３０には、束取込部３１（Ａ）、大帯処理部３２（Ｂ）、１０把移動部３３（Ｃ）、把１０把移動部３３（Ｄ）、糊剥がし部３４（Ｅ）、小帯処理部３５（Ｆａ）〜（Ｆｃ）及び排出部３６が設けられている。
【００１９】
束取込部３１（Ａ）は、コンベア４によって搬送される束を束取込装置によって前処理部３０に取り込む。
【００２０】
大帯処理部３２（Ｂ）は、束搬送装置、大帯切断装置、大帯抜き取り装置、大帯片除去装置、券種自動対応装置、大帯収納装置、大帯保管装置を備えており、搬送されてきた束（１０把）の十文字に結束している大帯を切断して１０把（紙葉把）を形成し、切断した大帯を除去して大帯収納装置又は大帯保管装置に保管する。
【００２１】
１０把移動部３３（Ｃ）は、大帯処理部３２からの１０把を受け取り次の小帯処理ステージへの受け渡しをする１０把受渡部及び１０把取込部を備えている。
【００２２】
把１０把移動部３３（Ｄ）は、１０把受渡装置、１０把搬送装置、把切出装置、把リフト装置、券種自動対応装置を備えており、大帯が除去されてバラ１０把になった把を把毎に分離する。
【００２３】
糊剥がし部３４（Ｅ）は、把取揃  装置、把プレス装置（押圧手段）、糊剥がし装置、小帯検出装置、小帯印字装置、小帯ヒートシール装置などを備えており、紙葉類に張り付いた小帯を後述するヘラで糊剥がしを行う。
【００２４】
小帯処理部（Ｆａ）は、把搬送装置、小帯除去装置、小帯切断装置、搬送装置で構成され、小帯収納装置、小帯保管装置を備えており、小帯を切断し、バラになった紙葉類を搬送して１枚毎に検査機６に供給する。小帯除去装置は、把湾曲装置（湾曲手段）及び小帯挟持装置（挟持手段）を有する。
【００２５】
次に、図３を参照しながら、紙葉類の処理の流れを説明する。束処理機２を介して投入された紙葉類の束Ｔは、コンベア４を介して前処理部３０へ搬送される。前処理部３０では、搬送された紙葉類の束Ｔから大帯Ｋを切断して除去するとともに、１０個のバラ把ｔの各々から小帯ｋを切断して除去し、紙葉類の束Ｔを１枚ずつの紙葉類Ｐにバラして集積した状態で検査機６に供給する。
【００２６】
前処理部３０は、束処理機２からコンベア４を介して搬送された束Ｔを取込む束取込部３１（Ａ）、この束取込部３１（Ａ）を介して取り込まれた束Ｔの大帯Ｋを切断して除去する大帯処理部３２（Ｂ）、大帯Ｋが切除された集積状態のバラ１０個の把ｔ（紙葉把）をその集積方向に挟持した状態で搬送する１０把移動部３３（Ｃ）、この１０把移動部３３（Ｃ）から送られてきたバラ１０把から１把ずつ切り出す把切出部（Ｄ）などを備えている。
【００２７】
前処理部３０にはさらに、把切出部（Ｄ）で切り出された把ｔの小帯ｋの糊を剥がす糊剥がし部（Ｅ）、糊が剥がされた小帯ｋを搬送する搬送部（Ｇ）、この搬送部（Ｇ）によって搬送された把ｔの小帯を切断して除去する小帯処理部（Ｆ）、および、小帯処理部（Ｆ）で小帯が除去された紙葉類Ｐを小帯処理部（Ｆ）を介して検査機６に向けて搬送する搬送部Ｇが備えられている。
【００２８】
１０把移動部３３（Ｃ）は、１０把受渡部３３ａ及び１０把取込部３３ｂを有し、大帯処理部３２から送られたバラ１０把を１０把受渡部３３ａで受取り、方向を変えて１０把取込部３３ｂに搬送する。
【００２９】
この１０把取込部３３ｂでは、バラ１０把を方向を変えてさらに搬送し、このバラ１０把から１把ずつ切り出す把切出部（Ｄ）に搬送する。
【００３０】
把切出部（Ｄ）には、糊剥がし部（Ｅ）に向けて上方に延びたリフトコンベアが設けられ、１０把移動部（Ｃ）から供給されたバラ１０把がリフトコンベアに所定圧力で押し付けられるようになっている。そして、バラ１０把の端部に位置した把ｔからリフトコンベアによって１把ずつ切り出され、その度にバラ１０把が１把ｔの厚さ分だけリフトコンベアに向けて移動される。このようにして把ｔは、１把ずつ切出される。
【００３１】
把切出部（Ｄ）によって１把ずつ切出された把ｔは、搬送部Ｇを介して検査機６に向けて搬送される。その途中、糊剥し部Ｅにおいて、小帯ｋと紙葉類Ｐとの間の糊が剥がされる。そして、糊剥がし処理がなされた把ｔの小帯ｋが、小帯処理部（Ｆ）にて切除され、バラ積みの状態にされた複数枚の紙葉類Ｐが検査機６へ供給される。
【００３２】
検査機６では、前処理部３０により１枚ずつにバラにされた複数枚の紙葉類Ｐを１枚ずつ取り出して検査し、この検査の結果、再使用可能と判断した紙葉類１００枚を小帯ｋにより再び施封して把とし、１０把を大帯Ｋにより十文字結束して束とする。そして、このようにして検査機６によって結束された紙葉類の束はコンベア４を介して逆方向に搬送され、束処理機２を介して取り出される。
【００３３】
本発明は、上述した紙葉類処理装置１の大帯処理部（Ｂ）及び把切出部（Ｄ）に関する発明である。
【００３４】
図４は、本発明による大帯処理部３２及び把１０把移動部３３の動作を説明する平面模式図である。図５は、図４に示す把１０把移動部３３の動作を説明する平面模式図である。図６及び図７は、スライダＲ移動部の位置検知方法を説明する図である。図８は、本実施例に係る前処理部３０の一部を示す斜視図である。以下、これらの図を参照して説明する。
【００３５】
束取込部３１によってコンベア４から取り込まれた束Ｔ（Ｔ（１）の状態）は、さらに束取り込みプッシャ３１１によって図示矢印（Ａ）方向に押し出され大帯処理部３２に取り込まれる。取り込まれた束Ｔ（Ｔ（２）の状態）は、大帯切断装置によって切断される。その後、大帯抜き取り装置によって大帯が抜き取られ、大帯片除去装置によって抜き取られた大帯が収納される。この一連の処理が終了すると、当該１０把からなるバラ１０把Ｓは、キャリアＲ３３４及びキャリアＦ３３３によってバラ１０把Ｓの上面及び下面から挟持され、把１０把移動部３３３に向かって図示矢印（Ｂ）方向に搬送される（Ｓ（３）の状態）。
【００３６】
このようにして挟持搬送されたバラ１０把Ｓは、当該バラ１０把Ｓの両側端から第１の手段であるトランスファＲ３３１及びトランスファＬ３３２によって挟持して１０把受渡部から搬送下流に位置する１０把取込部に向かって第１の方向である図示矢印（Ｃ）方向に搬送される（Ｓ（４）の状態）。
【００３７】
図５は、図４に示す把１０把移動部３３の動作を説明する平面模式図である。把１０把移動部３３は、上記トランスファＲ３３１及びトランスファＬ３３２によって搬送されたバラ１０把Ｓを、その上面及び下面から挟持して受取るスライダＲ挟持部３３６ｄ及びスライダＦ挟持部３３５ｄを備えている。
【００３８】
スライダＦ３３５は、スライダＦ本体３３５ａ、スライダＦ駆動部３３５ｂ、スライダＦ移動部（第１のスライダ）３３５ｃ及びスライダＦ挟持部３３５ｄ及びエンコーダ処理部３３５ｅで構成される。同様にスライダＲ３３６は、スライダＲ本体３３６ａ、スライダＲ駆動部３３６ｂ、スライダＲ移動部（第２のスライダ）３３６ｃ及びスライダＲ挟持部３３６ｄ及びエンコーダ処理部３３６ｅで構成される。
【００３９】
スライダＦ本体３３５ａには、エンコーダモータで構成されたスライダＦ駆動部３３５ｂが備えられている。このスライダＦ駆動部３３５ｂは、上記エンコーダモータによってスライダＦ移動部３３５ｃを図示矢印Ｄ方向（第２の方向）に進出自在に移動することができる。また、このスライダＦ移動部３３５ｃの絶対位置は、内臓されているエンコーダモータ（駆動モータ）によって計数され、その計数値は、エンコーダ処理部３３５ｅに出力される。
【００４０】
同様に、スライダＲ本体３３６には、エンコーダモータで構成されたスライダＲ駆動部３３６ｂが備えられている。このスライダＲ駆動部３３６ｂは、上記エンコーダモータによってスライダＲ移動部３３６ｃを図示矢印Ｅ方向に進出自在に移動することができる。また、このスライダＲ移動部３３６ｃの絶対位置は、内臓されているエンコーダモータ（駆動モータ）によって計数され、その計数値は、エンコーダ処理部３３６ｅに出力される。
【００４１】
このようにして、当該１０把Ｓは、スライダＦ挟持部３３５ｄ及びスライダＲ挟持部３３６ｄによって当該バラ１０把Ｓの上面及び下面から挟持される。図５は、まさにこのスライダＦ挟持部３３５ｄ及びスライダＲ３３６ｄによって挟持される直前を示す。
【００４２】
スライダＦ挟持部３３５ｄ及びスライダＲ挟持部３３６ｄによって挟持されるとき（Ｓ（４）の状態）、ＨＨめくり機構によってめくりプレート３３９をトランスファＬ３３２に挟み込む（図示しない）。この挟みこんだ状態で、トランスファＲ３３１及びトランスファＬ３３２が左右に開きながらバラ１０把Ｓを開放し、バラ１０把Ｓの上面及び下面からスライダＦ挟持部３３５ｄ及びスライダＲ挟持部３３６ｄで挟持して把切出装置（図示しない）に向かって搬送される。
【００４３】
この際、上記めくりプレート３３９によってバラ１０把Ｓに混在する手巻き帯片Ｋは掻き出される。
【００４４】
すなわち、トランスファＲ３３１及びトランスファＬ３３２が左右に開きながらバラ１０把Ｓを開放すると同時に、スライダＦ挟持部３３５ｄ及びスライダＲ挟持部３３６ｄによって挟持された状態で図示矢印ＤＵ及びＥＵの方向に搬送される。
【００４５】
この際、バラ１０把Ｓの間に挿入された帯片Ｋを除去できるように、トランスファＲ３３１及びトランスファＬ３３２は、バラ１０把Ｓの半数の把が切り出されるまでの間、当該１０把取込部（（４）の位置）に待機する（図７参照）。
【００４６】
この待機中に、大帯処理部３２部でジャムが発生した場合、初期化処理でトランスファＲ３３１、トランスファＬ３３２を１０把受渡部（３）の位置）に戻す必要がある。
【００４７】
そこで、図６に示すスライダＦ移動部３３５ｃが、位置Ｐ１１（図６）にあるときのスライダＦ駆動部３３５ｂのエンコーダ値と、位置Ｐ１２（図７）にあるときのスライダＦ駆動部３３５ｂのエンコーダ値がエンコーダ処理部３３５ｅに出力され、このエンコーダ処理部３３５ｅによってスライダＦ移動部３３５ｃの移動量が算出される。
【００４８】
同様に、スライダＲ移動部３３６ｃが位置Ｐ２１にあるときのスライダＲ駆動部３３６ｂのエンコーダ値と、位置Ｐ２２にあるときのスライダＲ駆動部３３６ｂのエンコーダ値がエンコーダ処理部３３６ｅに出力され、このエンコーダ処理部３３６ｅによってスライダＲ移動部３３６ｃの移動量が算出される。
【００４９】
この状態で、大帯処理部３２側でジャムが発生した場合、スライダＦ挟持部３３５ｄの位置に対してトランスファＲ３３１及びトランスファＬ３３２を初期位置に戻すために移動すると干渉する位置にある場合には、１０把取込部（（４）の状態）も連れジャムにして把を取り初期化する。図７は、まさに、干渉する位置にある場合を示す。
【００５０】
一方、大帯処理部３２側でジャムが発生した場合、スライダＦ挟持部３３５ｄの位置に対してトランスファＲ３３１及びトランスファＬ３３２を初期位置に戻すために移動しても干渉する位置にない場合には、当該１０把取込部３３ｂ側をジャム扱いにしないで把ｔを取り出さず、上記トランスファＲ３３１及びトランスファＬ３３２を初期位置に戻すことができる。図８は、図７において、スライダＦ移動部とトランスファＬ又はトランスファＲが干渉しない状態を示す図である。
【００５１】
図９は、図５に示すエンコーダ処理部３３５ｅ、３３６ｅ及びエンコーダ内臓アクチュエータの接続を示すブロック図である。
【００５２】
トランスファＬ、Ｒ及びスライダＦ、Ｒの駆動部は同様に構成されているため、ここではスライダＦを駆動する場合に付いて説明する。
【００５３】
スライダＦ３３５は、駆動部３３５ｂとしてのパルスモータ及びエンコーダ内臓のアクチュエータで構成され、このパルスモータによって所定量駆動される。
【００５４】
エンコーダ処理部３３５ｅは、ＣＰＵ、ドライバ及び入出力部（Ｉ／Ｏ）などで構成される。ＣＰＵはドライバ及び入出力部（Ｉ／Ｏ）に接続され、ドライバを通してパルスモータを駆動し、当該入出力部（Ｉ／Ｏ）を通して、エンコーダ内臓アクチュエータから出力されるパルスモータの回転量に伴うパルスを計数することができる。
【００５５】
以上の構成により、ＣＰＵによってスライダＦ移動部３３５ｃの移動量を設定し、またその設定に基づいてパルスモータが回転すると、パルスモータに組み込まれたエンコーダからパルスが出力される。そのパルスを計数することによりスライダＦ移動部３３５ｃの移動量を知ることができる。この構成は、上述したように他のスライダ及びトランスファの場合も同様である。
【００５６】
図１０は本発明の実施例１に係るフローチャートである。
【００５７】
最初に前処理部３０での処理が開始し、大帯処理部３２でジャムが発生すると（Ｓ１のＹｅｓ）、トランスファＲ３３１及びトランスファＬ３３２が１０把取込部３３ｂにあるかどうか確認する（Ｓ２）。
【００５８】
ステップＳ２の確認の結果、トランスファＲ３３１及びトランスファＬ３３２が１０把取込部３３ｂにある場合は、スライダＦ移動部３３５ｄ及びスライダＲ移動部３３６ｄの位置情報を読み取る（Ｓ３）。
【００５９】
この読み取りの結果、スライダＦ移動部３３５ｄ及びスライダＲ移動部３３６ｄがトランスファＲ及びトランスファＬと干渉する位置か確認する（Ｓ４）。
【００６０】
ステップＳ４の確認に結果、干渉する位置にある場合には、１０把取込部３３ｂを連れジャムにする（Ｓ５）。
【００６１】
上記ステップＳ２において、トランスファＲ及びトランスファＬが１０把取込部３３ｂに無い場合、又はスライダＦ移動部３３５ｄ及びスライダＲ移動部３３６ｄがトランスファＲ及びトランスファＬと干渉する位置に無い場合には、１０把取込部３３ｂを連れジャムにせず、初期化処理をする。
【００６２】
以上説明したように本発明の実施例によれば、大帯処理部３２でジャムが発生した場合、１０把取込部３３ｂの把ｔを取らなくても初期化することができるため、操作員のジャム処理が容易になる。
【図面の簡単な説明】
【００６３】
【図１】本発明の実施例１に係る前処理部を備えた紙葉類処理装置の外観図。
【図２】図１に示す紙葉類処理装置の構成を示すブロック図。
【図３】図１に示す紙葉類処理装置の紙葉類の処理の流れを説明する図。
【図４】図２に示す大帯処理部３２及び把１０把移動部３３の動作を説明する平面模式図。
【図５】図４に示す把１０把移動部３３の動作を説明する平面模式図。
【図６】図５に示すスライダＦ移動部及びスライダＲ移動部の位置検知方法を説明する図−１。
【図７】図５に示すスライダＦ移動部及びスライダＲ移動部の位置検知方法を説明する図−２。
【図８】図７において、スライダF移動部とトランスファＬ又はトランスファＲが干渉しない状態を示す図。
【図９】図５に示すエンコーダ処理部及びエンコーダ内臓アクチュエータの接続を示すブロック図。
【図１０】本発明の実施例１に係るフローチャート。
【図１１】従来の前処理部のフローチャート。
【符号の説明】
【００６４】
１  紙葉類処理装置
２  束処理機
４  コンベア
３０  前処理部
３１  束取込部
３１１  プッシャ
３２  大帯処理部
３３  把切出部
３３１  トランスファR
３３２  トランスファL
３３３  キャリアF
３３４  キャリアR
３３５  スライダF
３３５ａ  スライダＦ本体
３３５ｂ  スライダＦ駆動部
３３５ｃ  スライダＦ移動部
３３５ｄ  スライダＦ挟持部
３３５ｅ  エンコーダ処理部
３３６  スライダＲ
３３６ａ  スライダＲ本体
３３６ｂ  スライダＲ駆動部
３３６ｃ  スライダＲ移動部
３３６ｄ  スライダＲ挟持部
３３６ｅ  エンコーダ処理部
３３９  めくりプレート
【図１】
0005038919.tif 000002
【図２】
0005038919.tif 000003
【図３】
0005038919.tif 000004
【図４】
0005038919.tif 000005
【図５】
0005038919.tif 000006
【図６】
0005038919.tif 000007
【図７】
0005038919.tif 000008
【図８】
0005038919.tif 000009
【図９】
0005038919.tif 000010
【図１０】
0005038919.tif 000011
【図１１】
0005038919.tif 000012